(57)【要約】【課題】ファンのメンテナンスを容易にするレンジフードを提供する。【解決手段】本発明は、加熱調理器(IH)の上方に配置されるレンジフード(1)である。本発明のレンジフード(1)は、フード本体(2)と、フード本体(2)に収容されるファン(4)を有している。ファン(4)は、フード本体(2)よりも下に位置するメンテナンス位置(P3)に移動可能である。本発明の別のレンジフードでは、フード本体(2)は、その下縁(8e)にフード開口(10)を有し、ファン(4)は、上限使用位置と下限使用位置との間及び下限使用位置とそれよりも下に位置するメンテナンス位置との間を、フード開口(10)と共に上下方向に移動できる。ファン(4)は、上限使用位置と下限使用位置との間の領域において作動し、下限使用位置とメンテナンス位置との間の領域において、ファン(4)への動力の供給が阻止される。【選択図】図４
2007322054.tif 000002
【特許請求の範囲】
【請求項１】
加熱調理器の上方に配置されるレンジフードであって、
フード本体と、フード本体に収容されるファンと、を有し、
前記ファンは、前記フード本体よりも下に位置するメンテナンス位置に移動可能であることを特徴とするレンジフード。
【請求項２】
前記ファンは、前記フード本体内の一定の使用位置において作動し、前記ファンが前記一定の使用位置よりも下に位置する領域において、前記ファンへの動力の供給が阻止されることを特徴とする請求項１に記載のレンジフード。
【請求項３】
前記ファンは、前記フード本体内において、上限使用位置と下限使用位置との間を上下方向に移動でき、前記上限使用位置と前記下限使用位置との間の領域において作動し、前記ファンが前記下限使用位置よりも下に位置する領域において、前記ファンへの動力の供給が阻止されることを特徴とする請求項１に記載のレンジフード。
【請求項４】
前記フード本体は、その下縁にフード開口を有し、このフード開口は、前記ファンが前記上限使用位置と前記下限使用位置との間の移動するときに前記ファンと一緒に上下方向に移動することを特徴とする請求項３に記載のレンジフード。
【請求項５】
前記フード本体は、前記ファンが前記上限使用位置と前記下限使用位置との間を移動するときに上下方向に伸縮することを特徴とする請求項４に記載のレンジフード。
【請求項６】
前記ファンは、羽根を有し、前記羽根が停止した後、前記フード本体内から前記メンテナンス位置に移動することを特徴とする請求項１に記載のレンジフード。
【請求項７】
加熱調理器の上方に配置されるレンジフードであって、
フード本体と、フード本体に収容されるファンと、を有し、
前記フード本体は、その下縁にフード開口を有し、
前記ファンは、上限使用位置と下限使用位置との間及び前記下限使用位置とそれよりも下に位置するメンテナンス位置との間を、前記フード開口と共に上下方向に移動でき、
前記ファンは、前記上限使用位置と前記下限使用位置との間の領域において作動し、前記下限使用位置とメンテナンス位置との間の領域において、前記ファンへの動力の供給が阻止されることを特徴とするレンジフード。
【請求項８】
加熱調理器の上方に配置されるレンジフードであって、
フード本体と、フード本体に収容されるファンと、を有し、
前記フード本体は、その下縁にフード開口を有し、
前記ファンは、一定の使用位置とそれよりも下に位置するメンテナンス位置との間を、前記フード開口と共に上下方向に移動でき、
前記ファンは、前記一定の使用位置において作動し、前記一定の使用位置とメンテナンス位置との間の領域において、前記ファンへの動力の供給が阻止されることを特徴とするレンジフード。
【発明の詳細な説明】
【技術分野】
【０００１】
本発明は、レンジフードに係わり、更に詳細には、フード本体内にファンが収容されるレンジフードに関する。
【背景技術】
【０００２】
従来から、加熱調理器の上方にレンジフードを配置し、加熱調理器による調理の際に発生した臭気や油煙等をファンによって吸引して捕集することが行われている（例えば、特許文献１及び２参照）。
【０００３】
特許文献１に開示されているレンジフードは、部屋の壁及び天井に固定されたレンジフード本体と、レンジフード本体内に収容されたファンと、ファンを覆うようにファン本体とレンジフード本体との間に配置されたファンケースとを有している。ファンは、レンジフード本体の天板に固定され、ファンケースは、レンジフード本体及びファンに対して上下に移動することができ、レンジフード本体よりも下まで下降させることができる。ファンケースは、フィルターを有し、レンジフードよりも下まで下降させた状態において、汚れたフィルターの交換を容易に行うことができる。
【０００４】
また、特許文献２に開示されているレンジフードは、部屋の壁に固定された固定レンジフード本体と、固定レンジフード本体内に固定されたファンと、固定レンジフード本体から伸縮可能に下方に延びて、吸引口を加熱調理器に近づけることができる可動レンジフード本体とを有している。それにより、人がレンジフードの近くにいないとき、可動レンジフードを下方に伸ばして、可動レンジフードの吸引口を加熱調理器に近づけ、油煙等の捕集効率を向上させることができる。
【０００５】
【特許文献１】特開平７−２９３９５８号公報（図１及び図２）
【特許文献２】特開２００２−３５７３５０号公報（図１）
【発明の開示】
【発明が解決しようとする課題】
【０００６】
特許文献１に開示されたレンジフードのファンは、ファンケースを上昇させたときには、ファンケースに包囲され、ファンケースをレンジフード本体よりも下まで下降させたときには、レンジフード本体に包囲されている。また、特許文献２に開示されたレンジフードのファンは、常に、固定レンジフード本体に包囲されている。従って、特許文献１及び２に開示されているレンジフードのファンにおいて、補修及び掃除等のメンテナンスがしにくいことがあった。
【０００７】
そこで、本発明は、ファンのメンテナンスを容易にするレンジフードを提供することを目的としている。
【課題を解決するための手段】
【０００８】
上記目的を達成するために、本発明によるレンジフードは、加熱調理器の上方に配置されるレンジフードであって、フード本体と、フード本体に収容されるファンと、を有し、ファンは、フード本体よりも下に位置するメンテナンス位置に移動可能であることを特徴としている。
【０００９】
このように構成されたレンジフードによれば、通常、ファンはフード本体内に収容されているが、メンテナンス時、ファンをフード本体よりも下に位置するメンテナンス位置に移動させる。それにより、ファンの周りに空間的な余裕ができ、ファンのメンテナンスがし易くなる。
【００１０】
上記レンジフードにおいて、好ましくは、ファンは、フード本体内の一定の使用位置において作動し、ファンが一定の使用位置よりも下に位置する領域において、ファンへの動力の供給が阻止される。
【００１１】
このように構成されたレンジフードによれば、ファンが作動される一定の使用位置の下に、ファンへの動力の供給が阻止される領域が設けられ、ファンのメンテナンス時、ファンが作動する危険を防止することができる。
【００１２】
また、上記レンジフードにおいて、好ましくは、ファンは、フード本体内において、上限使用位置と下限使用位置との間を上下方向に移動でき、上限使用位置と下限使用位置との間の領域において作動し、ファンが下限使用位置よりも下に位置する領域において、ファンへの動力の供給が阻止される。
【００１３】
このように構成されたレンジフードによれば、ファンが作動される上限使用位置と下限使用位置との間の領域の下に、ファンへの動力の供給が阻止される領域が設けられ、ファンのメンテナンス時、ファンが作動する危険を防止することができる。
【００１４】
このレンジフードにおいて、更に好ましくは、フード本体は、その下縁にフード開口を有し、このフード開口は、ファンが上限使用位置と下限使用位置との間の移動するときにファンと一緒に上下方向に移動する。
【００１５】
このように構成されたレンジフードは、ファンの上下移動を利用して、フード開口の位置を上下に移動させることができる。
【００１６】
このレンジフードにおいて、更に好ましくは、フード本体は、ファンが上限使用位置と下限使用位置との間を移動するときに上下方向に伸縮する。
【００１７】
このように構成されたレンジフードでは、ファンの上下移動を利用して、フード開口の位置を上下に移動させると共に、レンジフード本体の占める領域を節約することができる。
【００１８】
また、上記レンジフードにおいて、好ましくは、ファンは、羽根を有し、羽根が停止した後、フード本体内からメンテナンス位置に移動する。
【００１９】
このように構成されたレンジフードでは、ファンのメンテナンス時の安全性を確保することができる。
【００２０】
また、上記目的を達成するために、本発明によるレンジフードは、加熱調理器の上方に配置されるレンジフードであって、フード本体と、フード本体に収容されるファンと、を有し、フード本体は、その下縁にフード開口を有し、ファンは、上限使用位置と下限使用位置との間及び下限使用位置とそれよりも下に位置するメンテナンス位置との間を、フード開口と共に上下方向に移動でき、ファンは、上限使用位置と下限使用位置との間の領域において作動し、下限使用位置とメンテナンス位置との間の領域において、ファンへの動力の供給が阻止されることを特徴としている。
【００２１】
このように構成されたレンジフードにおいては、ファンが作動する上限使用位置と下限使用位置との間の領域の下に、ファンへの動力の供給が阻止される領域を有している。従って、ファンへの動力の供給が阻止される領域においては、安全にファンのメンテナンス作業を行うことができる。かかる領域を加熱調理器に近づけることにより、ファンのメンテナンスを容易にすることができる。
【００２２】
また、上記目的を達成するために、本発明によるレンジフードは、加熱調理器の上方に配置されるレンジフードであって、フード本体と、フード本体に収容されるファンと、を有し、フード本体は、その下縁にフード開口を有し、ファンは、一定の使用位置とそれよりも下に位置するメンテナンス位置との間を、フード開口と共に上下方向に移動でき、ファンは、一定の使用位置において作動し、一定の使用位置とメンテナンス位置との間の領域において、ファンへの動力の供給が阻止されることを特徴としている。
【００２３】
このように構成されたレンジフードにおいては、ファンが作動する一定の使用位置の下に、ファンへの動力の供給が阻止される領域を有している。従って、ファンへの動力の供給が阻止される領域においては、安全にファンのメンテナンス作業を行うことができる。かかる領域を加熱調理器に近づけることにより、ファンのメンテナンスを容易にすることができる。
【発明の効果】
【００２４】
以上説明した通り、本発明により、ファンのメンテナンスを容易にするレンジフードを提供することができる。
【発明を実施するための最良の形態】
【００２５】
以下、図面を参照して本発明の実施形態を詳細に説明する。
【００２６】
最初、図１〜図４を参照して、本発明の第１の実施形態であるレンジフードを説明する。図１は、収納位置にある本発明の第１の実施形態であるレンジフードの正面断面図である。図２は、上限使用位置にある図１のレンジフードの正面断面図であり、図３は、下限使用位置にある図１のレンジフードの正面断面図であり、図４は、メンテナンス位置にある図１のレンジフードの正面断面図である。
【００２７】
図１に示すように、レンジフード１は、加熱調理器ＩＨの上方に配置されており、フード本体２と、フード本体２に収容されたファン４とを有している。図１に示すレンジフードは、天井板Ｃに設けられたレンジフード取付け孔Ｃａに収容された収容位置にある。
【００２８】
レンジフード本体２は、上側に配置された上筒体６と下側に配置された下筒体８とを有している。上筒体６及び下筒体８は、上下方向軸線Ａに沿って入れ子式に互いに摺動するように構成されている。上筒体６及び下筒体８の断面は、円形であってもよいし、矩形であってもよいし、その他の形状であってもよい。
【００２９】
上筒体６は、周壁６ａと、その上端部から外方に、即ち、上下方向軸線Ａから遠ざかる方向に延びる外向き上フランジ６ｂと、その下端部から内方に、即ち、上下方向軸線Ａに近づく方向に延びる内向き下フランジ６ｃとを有している。外向き上フランジ６ｂは、天井板Ｃよりも上に位置し、レンジフード取付け孔Ｃａよりも大きい。かくして、外向き上フランジ６ｂは、上筒体６が天井板Ｃからぶら下がるように、天井板Ｃの上面Ｃｂに係合可能である（図２参照）。
【００３０】
下筒体８は、周壁８ａと、その上端部から外方に延びる外向き上フランジ８ｂと、その下端部から外方に延びる外向き下フランジ８ｃと、外向き下フランジ８ｃの周縁から下方に延びる開口周壁８ｄとを有している。下筒体８の周壁８ａは、上筒体６の周壁６ａの内方に配置されている。また、下筒体８の外向き上フランジ８ｂは、上筒体６の内向き下フランジ６ｃよりも上に配置され、外向き上フランジ８ｂの外寸法は、周壁６ａよりも小さく、内向き下フランジ６ｃの内寸法よりも大きい。かくして、下筒体８の外向き上フランジ８ｂは、下筒体８が上筒体６からぶら下がるように、上筒体６の内向き下フランジ６ｃに係合可能である（図３参照）。
【００３１】
下筒体８の外向き下フランジ８ｃは、上筒体６の内向き下フランジ６ｃの下方に配置され、外向き下フランジ８ｃの外寸法は、内向き下フランジ６ｃよりも大きい。かくして、下筒体８の外向き下フランジ８ｃは、上筒体６を持上げるようにその内向き下フランジ６ｃに係合可能である（図１及び図２参照）。
【００３２】
下筒体８の開口周壁８ｄは、下向きのフード開口１０を形成する下縁８ｅを有している。この下縁８ｅの形状は、レンジフード取付け孔Ｃａの形状とほぼ同じであり、下縁８ｅは、レンジフード取付け孔Ｃａよりも少し小さい。かくして、開口周壁８ｄの下縁８ｅは、天井板Ｃの下面Ｃｃと同一面に配置することができる（図１参照）。
【００３３】
下筒体８の外向き下フランジ８ｃと開口周壁８ｄとによって形成される空間１２には、フード開口１０の面積を小さくするための整流板１４が設けられている。整流板１４は、ファン４によって吸引される空気の通路が整流板１４の周囲に形成されるように、開口周壁８ｄと間隔をおいて配置されている。また、整流板１４は、軸１６ａを中心にモータ１６ｂによって回動可能であり、図１に示すフード内位置１４ａ（図１〜図３参照）と、後述するファン４の上下方向軸線Ａに沿った移動経路から退避したフード外位置１４ｂ（図４参照）との間を移動可能である。
【００３４】
ファン４は、ファンベース１８ａの上に固定され、その排気口４ａは、上下方向に伸縮自在なダクト１８ｂを介して、天井板Ｃの上方に配置された排気ダクト１８ｃに接続されている。ファンベース１８ａの外寸法は、下筒体８の外向き下フランジ８ｃの内寸法よりも大きい。かくして、ファンベース１８ａは、下筒体８を持上げるように、外向き下フランジ８ｃに係合可能である（図１〜図３参照）。なお、ファンベース１８ａは、ファン４によって吸引される空気が通る孔又は切欠き（図示せず）を有している。
【００３５】
また、ファンは、羽根（図示せず）を回転させる軸（図示せず）と、この軸が停止していることを検出するためのセンサ２０とを有している。
【００３６】
ファン４は、ファン駆動部２２によって上下方向軸線Ａに沿って上下移動可能である。ファン駆動部２２は、天井板Ｃの上に配置された複数のモータ２２ａと、各モータ２２ａの軸に固定されたプーリ２２ｂと、各プーリ２２ｂに巻き付けられたワイヤ２２ｃとを有し、ワイヤ２２ｃは、天井板Ｃの上方に固定された滑車２２ｄを介してファンベース１８ａに連結されている。かくして、ファン４は、プーリ２２ｂにワイヤ２２ｃを巻き上げたり巻きほどいたりすることにより、上下に移動することができる。
【００３７】
レンジフード１は、更に、ファン４が基準位置にあることを検出するためのセンサ２４と、ファン４の移動距離を検出するためのセンサ２６を有している。基準位置は、例えば、収納位置（図１参照）である。センサ２６は、例えば、モータの回転角度を検出するためのエンコーダである。また、レンジフード１は、コントローラ２８を有している。コントローラ２８には、ファン４、センサ２０、モータ２２ａ、センサ２４及びエンコーダ２６が接続されている。また、コントローラ２８は、レンジフード１を操作するためのリモートコントローラ３０（図１参照）からの信号を受信することができる。
【００３８】
次に、図１〜図４を参照して、ファン４の上下移動について説明する。
【００３９】
図１において、ワイヤ２２ｃがプーリ２２ｂによって巻き上げられ、ファン４は、センサ２４に検出された位置である収納位置Ｐ０にある。収納位置Ｐ０において、ファンベース１８ａは、下筒体８の外向き下フランジ８ｃに係合して下筒体８を持上げ、下筒体８の外向き下フランジ８ｃは、上筒体６の内向きしたフランジ６ｃに係合して上筒体６を持上げ、下筒体８の開口周壁８ｄの下縁８ｅは、天井板Ｃの下面Ｃｃと同一面にある。下筒体８の下縁８ｅと加熱調理器ＩＨとは、距離ｈ０だけ離れている。
【００４０】
図２において、ワイヤ２２ｃがプーリ２２ｂから巻きほどかれて、ファン４が下降し、ファン４は、それを作動させる上限の位置である上限使用位置Ｐ１にある。上限使用位置Ｐ１において、収納位置Ｐ０と同様、ファンベース１８ａは、下筒体８の外向き下フランジ８ｃに係合して下筒体８を持上げ、下筒体８の外向き下フランジ８ｃは、上筒体６の内向きしたフランジ６ｃに係合している。しかしながら、収納位置Ｐ０と異なり、上筒体６の外向き上フランジ６ｂが天井板Ｃの上面Ｃｂに係合して、上筒体６が天井板Ｃからぶら下げられている。下筒体８の下縁８ｅと加熱調理器ＩＨとは、距離ｈ１だけ離れている。
【００４１】
図３おいて、ワイヤ２２ｃがプーリ２２ｂから更に巻きほどかれて、ファン４が下降し、ファン４は、それを作動させる下限の位置である下限使用位置Ｐ２にある。下限使用位置Ｐ２において、上限使用位置Ｐ１と同様、ファンベース１８ａは、下筒体８の外向き下フランジ８ｃに係合し、上筒体６の外向き上フランジ６ｂが天井板Ｃの上面Ｃｂに係合して、上筒体６が天井板Ｃからぶら下げられている。しかしながら、上限使用位置Ｐ１と異なり、下筒体８の外向き上フランジ８ｂが、上筒体６の内向き下フランジ６ｃに係合し、下筒体８が上筒体６にぶら下げられている。下筒体８の下縁８ｅと加熱調理器ＩＨとは、距離ｈ２だけ離れている。
【００４２】
図４において、ワイヤ２２ｃがプーリ２２ｂから更に巻きほどかれて、ファン４が下降し、ファン４は、フード本体よりも下に位置するメンテナンス位置Ｐ３にある。メンテナンス位置Ｐ３において、下限使用位置Ｐ２と同様、上筒体６の外向き上フランジ６ｂが天井板Ｃの上面Ｃｂに係合して、上筒体６が天井板Ｃからぶら下げられ、下筒体８の外向き上フランジ８ｂが、上筒体６の内向き下フランジ６ｃに係合し、下筒体８が上筒体６にぶら下げられている。しかしながら、下限使用位置Ｐ２と異なり、ファンベース１８ａは、下筒体８の外向き下フランジ８ｃよりも下方にある。
【００４３】
ワイヤ２２ｃをプーリ２２ｂに巻き上げることにより、ファン４は、メンテナンス位置Ｐ３（図４参照）から、下限使用位置Ｐ２（図３参照）、上限使用位置Ｐ１（図２参照）、収納位置Ｐ０（図１参照）に上昇する。ファン４が上限使用位置Ｐ１と下限使用位置Ｐ２との間を上昇したり下降したりする間、フード開口１０を構成する下筒体８の下縁８ｅは、ファン４と一緒に上下方向に移動する。このとき、下筒体８は、上筒体６に対して入れ子式に摺動し、フード本体２が上下方向に伸縮する。ダクト１８ｂは伸縮自在なので、上限使用位置Ｐ１と下限使用位置Ｐ２との間のファン４の上下移動の際、ダクト１８ｂは排気口４ａに接続されたままであり、臭気や油煙を確実に排気することができる。
【００４４】
次に、図５〜図８を参照して、リモートコントローラ３０の操作に基づく、レンジフード１のコントローラ２８の制御の一例を説明する。図５は、レンジフードの使用モード制御を示すブロックダイアグラムである。図６は、レンジフードの収納モード制御を示すブロックダイアグラムである。図７は、レンジフードのメンテナンスモード制御を示すブロックダイアグラムである。図８は、リモートコントローラ３０の操作ボタンを示す図である。図８に示すように、リモートコントローラ３０は、使用モードボタン３０ａ、収納モードボタン３０ｂと、メンテナンスモードボタン３０ｃ、ファン上昇ボタン３０ｄ、ファン下降ボタン３０ｅ、ファン作動ボタン３０ｆ及びファン停止ボタン３０ｇを有している。
【００４５】
リモートコントローラ３０の使用モードボタン３０ａを押すことにより、レンジフード１は、使用モードで作動する。図５に示すように、ＳＴ０１において、ファン４の位置をセンサ２６により検出する。ファン４の位置が上限使用位置Ｐ１よりも上である場合、ＳＴ０２に進み、モータ２２ａを作動させてワイヤ２２ｃをプーリ２２ｂから巻きほどき、ファン４を下降させる。ファン４の位置が上限使用位置Ｐ１と下限使用位置Ｐ２の間にある場合、ＳＴ０３に進む。ファン４の位置が下限使用位置Ｐ２よりも下である場合、ＳＴ０７に進み、モータ２２ａを作動させてワイヤ２２ｃをプーリ２２ｂに巻き上げ、ファン４を上昇させる。
【００４６】
ＳＴ０３に進んだ場合、ファン移動信号、即ち、ファン上昇ボタン３０ｄ又はファン下降ボタン３０ｅが押されているかどうかを検出する。ファン上昇ボタン３０ｄが押されている場合、ＳＴ０４に進み、ファン４を上昇させる。ファン下降ボタン３０ｅが押されている場合、ＳＴ０５に進み、ファン４を下降させる。ファン上昇ボタン３０ｄもファン下降ボタン３０ｅも押されていない場合、ＳＴ０６に進み、モータ２２ａを停止させ、ファン４の移動を停止させる。
【００４７】
ＳＴ０７に進んだ場合、後述するように整流板１４がフード外位置１４ｂにあるので、ＳＴ０８において、ファン４を下限使用位置Ｐ２で停止させ、モータ１６ｂを作動させて、整流板１４を軸１６ａを中心にフード内位置まで回動させる。
【００４８】
ＳＴ０２、ＳＴ０４〜ＳＴ０６、ＳＴ０８に進んだ後、ＳＴ０９でファン作動命令の有無、即ち、ファン作動ボタン３０ｆが押されているかどうかを検出する。ファン作動命令がＯＮの場合、即ち、ファン作動ボタン３０ｆが押されている場合、ＳＴ１０に進み、ファン４の位置をセンサ２６によって検出する。ファン４の位置が上限使用位置Ｐ１よりも上である場合、ＳＴ１１に進み、ファン４を作動させない。ファン４の位置が上限使用位置Ｐ１と下限使用位置Ｐ２の間にある場合、ＳＴ１２に進み、ファン４を作動させる。ファン４の位置が下限使用位置Ｐ２よりも下である場合、ＳＴ１３に進み、ファン４を作動させない。また、ファン作動命令がＯＦＦの場合、即ち、ファン作動ボタン３０ｇが押された場合、ＳＴ１４に進み、ファン４の作動を停止させる。ＳＴ１１〜ＳＴ１４に進んだ後、ＳＴ０１に戻る。
【００４９】
かくして、ファン４を作動させることができる上限使用位置Ｐ１と下限使用位置Ｐ２との間の領域の下に、ファン４への動力の供給が阻止される領域が設けられる。
【００５０】
リモートコントローラ３０の収納モードボタン３０ｂを押すことにより、レンジフード１は、収納モードで作動する。図６に示すように、収納モードでは、ＳＴ２０において、ファン４の作動を停止させ、ＳＴ２１において、ファン４を上昇させ、ＳＴ２２において、センサ２４がファンを検出したら、ファン４を収納位置Ｐ０で停止させる。
【００５１】
リモートコントローラ３０のメンテナンスモードボタン３０ｃを押すことにより、レンジフード１は、メンテナンスモードで作動する。図７に示すように、メンテナンスモードでは、ＳＴ３０において、ファン４の作動を停止させる。次いで、ＳＴ３１において、センサ２０により、ファン４の羽根（図示せず）が停止したかどうかをを検出する。羽根が停止していない場合には、ＳＴ３１に戻る。羽根が停止していることを検出したら、ＳＴ３２に進み、ファン４を下降させる。次いで、ＳＴ３３において、ファン４を下限使用位置Ｐ２で停止させ、モータ１６ｂを作動させて、整流板１４を軸１６ａを中心にフード外位置まで回動させる。次いで、ＳＴ３４において、ファン４を下降させ、ＳＴ３５において、センサ２６に基づいて、ファン４をメンテナンス位置Ｐ３で停止させる。
【００５２】
次に、図９を参照して、本発明によるレンジフードの第２の実施形態を説明する。図９は、本発明の第２の実施形態であるレンジフードの正面断面図である。
【００５３】
図９に示すように、レンジフード５０は、第１の実施形態であるレンジフード１と多くの共通点を有しているが、レンジフード１では、レンジフード本体２が上筒体６及び下筒体８に分離しており且つ天井板Ｃに対して移動可能であるのに対して、レンジフード５０は、天井板Ｃに固定されたレンジフード本体５２を有している点で相違している。従って、図９において、レンジフード１と共通する構成要素には、同じ参照番号を付し、その説明を省略する。
【００５４】
レンジフード本体５２は、周壁５２ａと、その下端部から外方に延びる外向き下フランジ５２ｂと、外向き下フランジ５２ｂの周縁から下方に延びる開口周壁５２ｃとを有している。開口周壁５２ｃは、下向きのフード開口１０を形成する下縁５２ｄを有している。ファンベース１８ａ及びファン４は、上下に移動することが可能であり、ファンベース１８ａは、二点鎖線で示すように、レンジフード本体５２の外向き下フランジ５２ｂに係合可能である。ファンベース１８ａが下フランジ５２ｂに係合しているとき、ファンは、一定の使用位置Ｐ４にある。ファン４が基準位置にあることを検出するためのセンサ２４における基準位置は、例えば、一定の使用位置Ｐ４（二点鎖線）である。
【００５５】
ファン４の上下の移動については、ファン４が一定の使用位置Ｐ４とメンテナンス位置Ｐ３との間を移動すること以外、上述した第１の実施形態であるレンジフード１と同様である。
【００５６】
レンジフード５０のコントローラ２８の制御の一例は、上限使用位置Ｐ１及び下限使用位置Ｐ２を一定の使用位置Ｐ４に置換え、収容位置Ｐ０を省略すること以外、上述した第１の実施形態であるレンジフード１の制御の一例と同様である。かくして、ファン４を作動させることができる一定の使用位置Ｐ４の下に、ファン４への動力の供給が阻止される領域が設けられる。
【００５７】
次に、図１０を参照して本発明によるレンジフードの第３の実施形態を説明する。図１０は、本発明の第３の実施形態であるレンジフードの正面断面図である。
【００５８】
図１０に示すように、レンジフード６０は、第１の実施形態であるレンジフード１と多くの共通点を有しているが、レンジフード１では、下筒体８に対してファン４が移動するのに対して、下筒体８とファン４とが一体になっている点で相違している。従って、図１０において、レンジフード１と共通する構成要素には、同じ参照番号を付し、その説明を省略する。本実施形態では、ファンベース１８ａは、下筒体８に固定されている。
【００５９】
図１０において、ファンベース１８ａは、下筒体８に固定されている。ワイヤ２２ｃがプーリ２２ｂから巻きほどかれて、ファン４及び下筒体８が下降し、ファン４は、メンテナンス位置Ｐ３にある。本実施形態では、メンテナンス位置Ｐ３においても、ファン４は、フード本体２の下筒体８に収容されている。下筒体８の下縁８ｅと加熱調理器ＩＨとは、距離ｈ３だけ離れている。図１０には、上限使用位置Ｐ１及び下限使用位置Ｐ２を二点鎖線で示す。
【００６０】
上限使用位置Ｐ１における距離ｈ１は、１０００〜１５００ｍｍであることが好ましく、下限使用位置Ｐ２における距離ｈ２は、６００〜１０００ｍｍであることが好ましく、メンテナンス位置Ｐ３における距離ｈ３は、２００〜５００ｍｍであることが好ましい。距離ｈ３は、加熱調理器ＩＨの上に置かれた鍋とレンジフード１とが接触しない高さであることが好ましい。例えば、ｈ１＝１０００ｍｍ、ｈ２＝８００ｍｍ、ｈ３＝４００ｍｍである。
【００６１】
ファン４の上下の移動については、上述した第１の実施形態であるレンジフード１と同様である。
【００６２】
次に、図１１〜図１４を参照して、本発明によるレンジフードの第４の実施形態を説明する。図１１は、本発明の第４の実施形態であるウォールキャビネットに収納可能なレンジフードの概略的な斜視図である。図１２は、図１１のレンジフードの収納位置における正面断面図である。図１３は、図１１のレンジフードの使用位置における正面断面図である。図１４は、図１１のレンジフードのメンテナンス位置における正面断面図である。なお、第４の実施形態であるレンジフード７０は、第１の実施形態であるレンジフード１と共通の構成要素を有しており、同じ参照符号を付すことにより、その説明を省略する。
【００６３】
図１１に示すように、レンジフード７０は、加熱調理器ＩＨの上方に配置されており、フード本体７２と、フード本体７２に収容されたファン４とを有している。図１１に示すレンジフード７０は、ウォールキャビネットＷの底板Ｗａに設けられたレンジフード取付け孔Ｗｂに収容された収容位置にある。
【００６４】
図１２に示すように、フード本体７２は、周壁７２ａと、その上端部から外方に延びる外向き上フランジ７２ｂとを有している。外向き上フランジ７２ｂは、ウォールキャビネットの底板Ｗａよりも上に位置し、レンジフード取付け孔Ｗｂよりも大きい。かくして、外向き上フランジ７２ｂは、フード本体７２が底板Ｗａからぶら下がるように、底板Ｗａの上面に係合可能である（図１３参照）。
【００６５】
ファン４は、ファン駆動部７４によって上下方向軸線Ａに沿って上下移動可能である。ファン駆動部７４は、入れ子式に３段に伸縮する支柱７６を４本有している。支柱７６は、ウォールキャビネットＷの内部プレートＷｃに固定された外チューブ７６ａと、外チューブ７６ａの内側に配置され且つ外チューブ７６ａに対して入れ子式に下方に伸びることが可能な中チューブ７６ｂと、中チューブ７６ｂの内側に配置され且つ中チューブ７６ｂに対して入れ子式に下方に延びることが可能な内チューブ７６ｃとを有している。中チューブ７６ｂは、その下端部にブラケット７６ｄを有し、ブラケット７６ｄはフード本体７２に固定されている。内チューブ７６ｃは、その下端部にフランジ７６ｅを有し、フランジ７６ｅにファンベース１８ａが固定されている。フランジ７６ｅはまた、中チューブ７６ｂの下端部に取付けられたブラケット７６ｄに係合して、中チューブ７６ｂを持上げることが可能である（図１３参照）。
【００６６】
また、ファン駆動部７４は、ウォールキャビネットＷの内部プレートＷｃの上に配置された複数のモータ２２ａと、各モータ２２ａの軸に固定されたプーリ２２ｂと、各プーリ２２ｂに巻き付けられたワイヤ２２ｃとを有し、ワイヤ２２ｃは、天井板Ｃの上方に固定された滑車２２ｄを介して支柱７６の内チューブ７６ｃに連結されている。かくして、ファン４は、プーリ２２ｂにワイヤ２２ｃを巻き上げたり巻きほどいたりすることにより、上下に移動することができる。
【００６７】
次に、図１２〜図１４を参照して、ファン４の上下移動について説明する。
【００６８】
図１２において、ワイヤ２２ｃがプーリ２２ｂによって巻き上げられ、ファン４は、センサ２４に検出された位置である収納位置Ｐ０にある。収納位置Ｐ０において、支柱７６の内チューブ７６ｃのフランジ７６ｅは、中チューブ７６ｂを支持し、内チューブ７６ｃが中チューブ７６ｂに収容される共に中チューブ７６ｂが外チューブ７６ａに収容されている。
【００６９】
図１３において、ワイヤ２２ｃがプーリ２２ｂから巻きほどかれて、ファン４が下降し、ファン４は、それを作動させることができる一定の使用位置Ｐ４にある。一定の使用位置Ｐ４において、支柱７６の内チューブ７６ｃのフランジ７６ｅは、中チューブ７６ｂを支持し、内チューブ７６ｃは、中チューブ７６ｂに収容されているが、中チューブ７６ｂは、外チューブ７６ａの下方に露出している。
【００７０】
図１４において、ワイヤ２２ｃがプーリ２２ｂから更に巻きほどかれて、ファン４が下降し、ファン４は、フード本体７２よりも下に位置するメンテナンス位置Ｐ３にある。メンテナンス位置Ｐ３において、フード本体７２の上フランジ７２ｂは、ウォールキャビネットＷの底板Ｗｂに係合し、支柱７６の内チューブ７６ｃは、中チューブ７６ｂの下方に露出している。
【００７１】
ワイヤ２２ｃをプーリ２２ｂに巻き上げることにより、ファン４は、メンテナンス位置Ｐ３（図１４参照）から、使用位置Ｐ４（図１３参照）、収納位置Ｐ０（図１２参照）に上昇する。
【００７２】
レンジフード７０のコントローラ２８の制御の一例は、上限使用位置Ｐ１及び下限使用位置Ｐ２を一定の使用位置Ｐ４に置換え、収容位置Ｐ０を省略すること以外、上述した第１の実施形態であるレンジフード１の制御の一例と同様である。かくして、ファン４を作動させることができる一定の使用位置Ｐ４の下に、ファン４への動力の供給が阻止される領域が設けられる。
【００７３】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【００７４】
上述した実施形態では、ファン４のメンテナンス位置Ｐ３は、ファン４全体がフード本体２、５２、６２よりも下に位置していたが、メンテナンスのための空間的な余裕ができれば、ファン４の全体がフード本体２、５２、６２よりも下になくてもよい。
【００７５】
また、上述した第１の実施形態では、上限使用位置Ｐ１を、上筒体６の外向き上フランジ６ｂが天井板Ｃに係合した位置とし、下限使用位置Ｐ２を、下筒体８の外向き上フランジ８ｂが上筒体６の内向き下フランジ６ｃに係合した位置としたが、上限使用位置Ｐ１及び下限使用位置Ｐ２をそれ以外の位置にしてもよい。
【００７６】
また、第４の実施形態では、一定の使用位置Ｐ４を採用したが、支柱７６の中チューブ６６ｂが外チューブ７６ａから露出する長さを変えて止めることにより、上限使用位置Ｐ１及び下限使用位置Ｐ２を採用してもよい。
【００７７】
また、第４の実施形態において、ファン駆動部７４は、モータ２２ａ等を採用する代わりに、オイルユニットを採用してもよい。
【００７８】
また、上記実施形態では、リモートコントローラ３０を使用してレンジフード１、５０、６０、７０を作動させたが、リモートコントローラ３０の操作ボタン３０ａ〜３０ｇの全部又は一部を、加熱調理器ＩＨが設けられたキャビネット、ウォールキャビネットＷ又はレンジフード本体２、５２、６２に設けてもよい。
【００７９】
また上記実施形態では、ファン４の羽根（図示せず）が停止したことをセンサ２０によって検出してから、ファン４を下限使用位置Ｐ４又は一定の使用位置Ｐ２よりも下に移動させたが、ファン４の羽根が停止してからファン４を下降させるために、ファン４への動力の供給を停止してから一定時間後にファン４を下降させてもよいし、ファン４への動力の供給を停止した後、図示していないブレーキを作動させることにより羽根を停止させてからファン４を下降させてもよい。
【図面の簡単な説明】
【００８０】
【図１】収納位置にある本発明の第１の実施形態であるレンジフードの正面断面図である。
【図２】上限使用位置にある図１のレンジフードの正面断面図である。
【図３】下限使用位置にある図１のレンジフードの正面断面図である。
【図４】メンテナンス位置にある図１のレンジフードの正面断面図である。
【図５】レンジフードの使用モード制御を示すブロックダイアグラムである。
【図６】レンジフードの収納モード制御を示すブロックダイアグラムである。
【図７】レンジフードのメンテナンスモード制御を示すブロックダイアグラムである。
【図８】リモートコントローラの操作ボタンを示す図である。
【図９】本発明による第２の実施形態であるレンジフードの正面断面図である。
【図１０】本発明の第２の実施形態であるレンジフードの概略的な斜視図である。
【図１１】本発明の第３の実施形態であるレンジフードの概略的な斜視図である。
【図１２】図１１のレンジフードの収納位置における正面断面図である。
【図１３】図１１のレンジフードの使用位置における正面断面図である。
【図１４】図１１のレンジフードのメンテナンス位置における正面断面図である。
【符号の説明】
【００８１】
１、５０、６０、７０  レンジフード
２、５２、７２  フード本体
４  ファン
１０  フード開口
２０  センサ
ＩＨ  加熱調理器
Ｐ０  収納位置
Ｐ１  上限使用位置
Ｐ２  下限使用位置
Ｐ３  メンテナンス位置
Ｐ４  一定の使用位置
【図１】
2007322054.tif 000003
【図２】
2007322054.tif 000004
【図３】
2007322054.tif 000005
【図４】
2007322054.tif 000006
【図５】
2007322054.tif 000007
【図６】
2007322054.tif 000008
【図７】
2007322054.tif 000009
【図８】
2007322054.tif 000010
【図９】
2007322054.tif 000011
【図１０】
2007322054.tif 000012
【図１１】
2007322054.tif 000013
【図１２】
2007322054.tif 000014
【図１３】
2007322054.tif 000015
【図１４】
2007322054.tif 000016